(57)【特許請求の範囲】
【請求項１】
一定長を有する八角形状の角筒体を水平方向に正半分に切断し、当該半体を本体として設け、
当該本体を上記角筒体の中心軸から下した垂直面を境に一方の外側の各辺に雄型係止部を夫々設け、他方の外側の各辺に上記各雄型係止部と勘合する雌型係止部を夫々設け、
当該本体の上記切断面の一方に係止突起を設け、他方に係止孔を設け、
当該本体の形状は、二つの当該本体の両切断面を夫々突き合わせて夫々の切断面の係止突起を対向する切断面の係止孔に係止して八角形状とした際、その八角形の中心点を中心に点対称と成るように設けたことを特徴とする管枕。
【請求項２】
一定長を有する八角形状の角筒体を水平方向に正半分に切断し、当該半体を本体として設け、
当該本体を上記角筒体の中心軸から下した垂直面を境に一方の外側の各辺に雄型係止部を夫々設け、他方の外側の各辺に上記各雄型係止部と勘合する雌型係止部を夫々設け、
当該本体の上記切断面の一方に係止突起を設け、他方に係止孔を設け、
当該本体の形状は、二つの当該本体の両切断面を夫々突き合わせて夫々の切断面の係止突起を対向する切断面の係止孔に係止して八角形状とした際、その八角形の中心点を中心に点対称と成るようにして管枕を形成し、
当該管枕の上下左右面、及び斜面の任意の面に他の管枕を突き合わせて上記雄型係止部を雌型係止部に勘合させて接続することを特徴とする、管枕の使用方法。
【発明の詳細な説明】
【０００１】
【発明の属する技術分野】
この発明は、ケーブルを挿通して地中に埋設する管を、複数束ねて地中に埋設する際に、管の長手方向に一定間隔で管の下に置いたり、隣接する管同士の間に介在させて多条の管を保持、固定する管枕及びその使用方法に関するものである。
【０００２】
【従来の技術】
地中に埋設されたシールド管内に又は埋設溝内に、複数条のケーブルの埋設管を縦横に並べて又は積み重ねて設置する際、管の長手方向に一定間隔で最下層の管の下や、隣接する上下及び左右の管の間に管枕を介在させて、各管を一定間隔で安定して離隔、保持させている。
また筒状の管枕を使用する際は、二つに分割して使用し、この様な管枕の分割した半体としては、図１２乃至図１５に示すように２条用管枕の半体２１、３条用管枕の半体２２、４条用管枕の半体２３などの予め各条数毎に作成したものがある。また１条用のもので複数個接続自在にしたものもある（図示省略）。
【０００３】
【発明が解決しようとする課題】
しかし、これらの管枕は何れも、上下の縦方向また左右の横方向の二方向に管を並べることを想定して作られたものであり、また管をこれらの様に複数条並べて積み重ねる際、その最低必要容積はその条数によってある程度決まっており、その結果、その掘削幅も条数によってある程度決まっていた。
その一方、地中を掘削して埋設する点から少しでも掘削幅、掘削土砂量を少なくすることが望まれている。
【０００４】
そこでこの発明は、ケーブルを挿通した管を、掘削溝内等に複数条埋設するのに、縦方向及び横方向の他、さらに斜め方向（以下、「千鳥配列」と言う）に管を効率良く配置して掘削幅を少なくできる管枕及びその使用方法を提供して上記課題を解決するものである。
【０００５】
【課題を解決するための手段】
請求項１項の発明は、一定長を有する八角形状の角筒体を水平方向に正半分に切断し、当該半体を本体として設け、当該本体を上記角筒体の中心軸から下した垂直面を境に一方の外側の各辺に雄型係止部を夫々設け、他方の外側の各辺に上記各雄型係止部と勘合する雌型係止部を夫々設け、当該本体の上記切断面の一方に係止突起を設け、他方に係止孔を設け、当該本体の形状は、二つの当該本体の両切断面を夫々突き合わせて夫々の切断面の係止突起を対向する切断面の係止孔に係止して八角形状とした際、その八角形の中心点を中心に点対称と成るように設けた管枕とした。
【０００６】
請求項２項の発明は、一定長を有する八角形状の角筒体を水平方向に正半分に切断し、当該半体を本体として設け、当該本体を上記角筒体の中心軸から下した垂直面を境に一方の外側の各辺に雄型係止部を夫々設け、他方の外側の各辺に上記各雄型係止部と勘合する雌型係止部を夫々設け、当該本体の上記切断面の一方に係止突起を設け、他方に係止孔を設け、当該本体の形状は、二つの当該本体の両切断面を夫々突き合わせて夫々の切断面の係止突起を対向する切断面の係止孔に係止して八角形状とした際、その八角形の中心点を中心に点対称と成るようにして管枕を形成し、当該管枕の上下左右面、及び斜面の任意の面に他の管枕を突き合わせて上記雄型係止部を雌型係止部に勘合させて接続する管枕の使用方法とした。
【０００７】
【発明の実施の形態】
この発明の実施の形態例の管枕を図１乃至図７に基づいて説明する。
この管枕１は、ＦＲＰ製で八角形状の一定長を有する角筒体であるが、正八角形状ではなく、千鳥配置できる範囲を広くするために、上辺Ａ、下辺Ｂ、左辺Ｃ、右辺Ｄの４辺が、残りの左上辺Ｅ、右下辺Ｆ、左下辺Ｇ、右上辺Ｈの４辺より幾分短い辺となっている。そしてこれらの各辺の外側に当該管枕同士を係止する雄型及び雌型の係止部、又はどちらかの係止部を夫々設けている。またこの管枕１の形状は、八角形の中心点を中心に点対称と成るように設けている。さらにこの管枕１は、管２４（図８参照）を挿入させる断面円形状の貫通孔を内側に有している。
【０００８】
この管枕１は、八角形状の角筒体を水平方向に正半分に切断した半体により本体２を形成しており、上記貫通孔を成す湾曲凹部２´を有している。この本体２を上記角筒体の中心軸から下した垂直面を境に、図２に示す様に右側の外側の右辺ｄに、右下辺Ｆの下辺Ｂ寄りに、下辺Ｂの右下辺Ｆ寄りに、図５（ａ）に示す雄型係止部３を夫々設けており、この雄型係止部３の、後述する雌型係止部に勘合して係止する箇所は本体２の長さと略同じ長さの板体となっており、その中央部は、両端部が夫々若干外側に突出した突縁３ａ、３ａとなっている。また左側の外側の左辺ｃに、左下辺Ｇの下辺Ｂ寄りに、下辺Ｂの左下辺Ｇ寄りに、図５（ｂ）に示す雌型係止部４を夫々設けており、この雌型係止部４の、雄型係止部３を嵌め入れる箇所、特に突縁３ａ、３ａを嵌め入れる箇所は、鍵型で本体２の長さと略同じ長さの凹部となっている。この様な雄型係止部３及び雌型係止部４は相互に確実に係止する。
【０００９】
当該本体２の両端部である上記切断面の一方の上面ｉに係止突起５を設け、他方の上面ｊに図３に示す係止孔６を設けている。また本体２は、上記形状の外周壁と上記湾曲凹部２´を成す内周壁から成り、図７に示す様にこれらの外周壁と内周壁との略中央に中央壁７が設けられ、さらに補強のため上記外周壁と内周壁との間に適宜間隔でリブ８を設けている。
【００１０】
この管枕１を使用して管２４を載置する方法を図８及び図９に基づいて説明する。
５条の管２４を積み重ねる場合、最初に３個の本体２を、管２４を嵌め入れる湾曲凹部２´を上にして夫々左右の辺ｃ、ｄの雌型係止部４及び雄型係止部３で互いに係止して、管２４を設置する底面に載置する。その後３条の管２４を夫々本体２の湾曲凹部２´内にその半分を嵌め入れた後、底面に載置したと同様に３個接続した本体２を今度は管２４を嵌め入れる湾曲凹部２´を下にして上方から被せて、夫々の本体２の係止突起５及び係止孔６によって係止固定する。
【００１１】
次に図８に示す様に、八角形状の管枕１の上側の本体２の２箇所の、斜面である右上辺Ｈ、左上辺Ｅの夫々の雌型係止部４及び雄型係止部３に、２個接続した本体２を管２４を嵌め入れる湾曲凹部２´を夫々上側にして、当該本体２を裏返して、斜面である右下辺Ｆ、左下辺Ｇ（図８では夫々左右逆となる）の夫々の雄型係止部３及び雌型係止部４とを夫々係止して相互に接続する。その後２条の管２４を上方から嵌め入れた後、上記と同様に２個接続した本体２を今度は管２４を嵌め入れる湾曲凹部２´を下にして上方から被せて、夫々の本体２の係止突起５及び係止孔６によって係止固定する。
【００１２】
これにより、これまでの管枕では、縦方向及び横方向にしか管枕を接続することができなかったのが、この実施の形態例では、管枕１を千鳥配列にもできるようにしたので、段積み深さが従来の単純に積み重ねたものと比べ、幾分浅くなり、管２４同士をより接近させてコンパクトに積み重ねることができる。
【００１３】
またケーブルを挿通した管を複数条並べる又は積み重ねる場合、ケーブル同士の相互の干渉を防ぐために一定の距離離して設置しなければならないが、同形同大の管枕１を接続して管を積み重ねるので、当該管枕１を作成する最初にこの距離を保持できるように作成すれば、管同士の間に一定の距離を保ちつつも、より近く管同士を並べることができる。
【００１４】
さらに図１０に示す様にシールド管内に設置する場合、従来の管枕２２´では、例えば７条の管のみが入用な場合でも３条３段の管を設置する空間の径を有するシールド管２５が必要となっていたが、この実施の形態例では、図１１に示す様により小さな径のシールド管２６でよく、その分掘削幅も少なく、掘削土量も少なく済む。
【００１５】
上記実施の形態例では、管枕１を組み合わせて八角形状にした際、正八角形状ではないものとしたが、これはこの発明の必須要件ではない。また管枕１の各辺に設けた雄型係止部３、雌型係止部４、係止突起５及び係止孔６の具体的な構成を記載したが、雄型係止部、雌型係止部、係止突起及び係止孔は、これらの構成に限定するものではない。さらに管枕１の材質としてＦＲＰ製としたが、材質はこれに限定するものではなく、他のプラスチックやリサイクルによって得られた材質のものでもよい。
【００１６】
【発明の効果】
請求項１項及び２項の各発明によれば、管枕を八角形状とし、管枕の外側の斜行する各辺夫々にも係止部を設けたので、管枕同士を縦方向、横方向の他、千鳥配列にもすることができ、従来の縦横型接続に比べて、管同士をコンパクトに並べ積み重ねることができる。また段積み深さを浅くできるため、掘削幅を狭くでき、掘削土量を減らすことができるので、作業自体も縮小できる。
【図面の簡単な説明】
【図１】この発明の実施の形態例の本体を二つ組み合わせて八角形状の管枕とした状態の正面図である。
【図２】この発明の実施の形態例の本体の正面図である。
【図３】この発明の実施の形態例の本体の平面図である。
【図４】この発明の実施の形態例の本体の側面図である。
【図５】（ａ）この発明の実施の形態例の本体の辺部の雄型係止部の説明図である。
（ｂ）この発明の実施の形態例の本体の辺部の雌型係止部の説明図である。
【図６】この発明の実施の形態例の本体の端部の一方に設けた係止突起の拡大図である。
【図７】図２におけるＸ−Ｘ線断面図である。
【図８】この発明の実施の形態例の管枕を組み合わせてケーブル５条用に接続した正面図である。
【図９】この発明の実施の形態例の管枕を組み合わせてケーブル５条用に接続した側面図である。
【図１０】従来の管枕を組み合わせて、シールド管内においてケーブル７条用に接続した正面図である。
【図１１】この発明の実施の形態例の管枕を組み合わせて、シールド管内においてケーブル７条用に接続した正面図である。
【図１２】従来の２条用の管枕の半体の正面図である。
【図１３】従来の３条用の管枕の半体の正面図である。
【図１４】従来の４条用の管枕の半体の正面図である。
【図１５】従来の３条用の管枕の半体を４つ組み合わせて、ケーブル６条用に接続した正面図である。
【符号の説明】
Ａ    上辺                            Ｂ    下辺
Ｃ    左辺                            Ｄ    右辺
Ｅ    左上辺                          Ｆ    右下辺
Ｇ    左下辺                          Ｈ    右上辺
１    管枕                            ２    本体
３    雄型の係止部                    ４    雌型の係止部
５    係止突起                        ６    係止孔
【図１】
0003554263.tif 000002
【図２】
0003554263.tif 000003
【図３】
0003554263.tif 000004
【図４】
0003554263.tif 000005
【図５】
0003554263.tif 000006
【図６】
0003554263.tif 000007
【図７】
0003554263.tif 000008
【図８】
0003554263.tif 000009
【図９】
0003554263.tif 000010
【図１０】
0003554263.tif 000011
【図１１】
0003554263.tif 000012
【図１２】
0003554263.tif 000013
【図１３】
0003554263.tif 000014
【図１４】
0003554263.tif 000015
【図１５】
0003554263.tif 000016